(57)【要約】【課題】分けて管理される物品に付された無線タグが、読取装置により同時に読み取られる可能性がある場所に収納されていても、物品を正しく管理可能とする。【解決手段】在庫管理装置は、無線タグが付された物品を納める収納場所を関連付けるグループ情報を記憶する記憶部と、読取装置による前記無線タグの読み取り結果を受け付ける読取制御部と、同じ前記グループ情報に属する異なる前記収納場所の読み取り結果で、同じ前記無線タグの情報が重複した場合には、重複した情報のうち電波強度が小さい方の情報を削除する重複調整を行う調整部と、を備える。【選択図】図２
2020132370.tif 000002
【特許請求の範囲】
【請求項１】
無線タグが付された物品を納める収納場所を関連付けるグループ情報を記憶する記憶部と、
読取装置による前記無線タグの読み取り結果を受け付ける読取制御部と、
同じ前記グループ情報に属する異なる前記収納場所の読み取り結果で、同じ前記無線タグの情報が重複した場合には、重複した情報のうち電波強度が小さい方の情報を削除する重複調整を行う調整部と、
を備える在庫管理装置。
【請求項２】
前記グループ情報を生成し前記記憶部に記憶させるグループ設定部をさらに備える
請求項１に記載の在庫管理装置。
【請求項３】
前記グループ設定部は、前記調整部による重複調整に先立って、前記グループ情報を前記記憶部に記憶させる
請求項２に記載の在庫管理装置。
【請求項４】
前記読取制御部が、前記読取装置による読み取り結果として受け付ける前記無線タグの情報は、個品コードである
請求項１〜３のいずれか１つに記載の在庫管理装置。
【請求項５】
前記調整部は、重複した情報の電波強度の差が、所定の程度を超えて大きい場合、前記重複調整を自動で行い、前記差が前記程度を超えない場合には、前記重複調整の実行についてユーザに指示を求める
請求項１〜４のいずれか１つに記載の在庫管理装置。
【請求項６】
無線タグが付された物品を納める収納場所を関連付けるグループ情報を記憶する記憶部を備える在庫管理装置のコンピュータを、
読取装置による前記無線タグの読み取り結果を受け付ける読取制御部と、
同じ前記グループ情報に属する異なる前記収納場所の読み取り結果で、同じ前記無線タグの情報が重複した場合には、重複した情報のうち電波強度が小さい方の情報を削除する重複調整を行う調整部と、
として機能させるためのプログラム。
【発明の詳細な説明】
【技術分野】
【０００１】
本発明の実施形態は、在庫管理装置およびプログラムに関する。
【背景技術】
【０００２】
無線タグ（例えばＲＦＩＤタグ）を利用した在庫管理が普及してきている。そのような在庫管理においては、物品の一つひとつに無線タグを付属させ、棚卸しの際、アンテナを内蔵した読取装置によって例えば３０ｃｍ〜１０ｍほど離れた位置から非接触で、無線タグが記憶する情報（個品コード、ＥＰＣ：Electronic  Product  Code）を取得する（例えば特許文献１）。
【０００３】
一方、在庫管理の現場においては、分けて管理される物品群が、近い場所（例えば隣り合う棚など）に収納されている場合がある。当該物品群としては、例えば、実店舗で取り扱う商品や電子商取引（ＥＣ：electronic  commerce、オンラインショッピングなど）で取り扱う商品などがある。しかしながら、従来のやり方では、実店舗で取り扱う商品とＥＣで取り扱う商品とが、読取装置に同時に読み取られてしまうほど近い場所に収納されていると、正しく在庫管理することは困難になる。
【発明の概要】
【発明が解決しようとする課題】
【０００４】
本発明が解決しようとする課題は、分けて管理される物品に付された無線タグが、読取装置により同時に読み取られる可能性がある場所に収納されていても、物品を正しく管理可能とすることである。
【課題を解決するための手段】
【０００５】
実施形態の在庫管理装置は、無線タグが付された物品を納める収納場所を関連付けるグループ情報を記憶する記憶部と、読取装置による前記無線タグの読み取り結果を受け付ける読取制御部と、同じ前記グループ情報に属する異なる前記収納場所の読み取り結果で、同じ前記無線タグの情報が重複した場合には、重複した情報のうち電波強度が小さい方の情報を削除する重複調整を行う調整部と、を備える。
【図面の簡単な説明】
【０００６】
【図１】図１は、実施形態における在庫管理対象である物品の収納場所の一例を模式的に示す平面図である。
【図２】図２は、収納場所に収納された物品に付されたタグの読み取り方の一例を示す平面図である。
【図３】図３は、在庫管理システムの構成例を示す図である。
【図４】図４は、ＲＦＩＤリーダのハードウェア構成を示すブロック図である。
【図５】図５は、サーバの構成を示すブロック図である。
【図６】図６は、グループ設定部が表示部に表示させる、グループ化画面の一例を示す図である。
【図７】図７は、棚卸対象選択部が表示部に表示させる、棚卸場所選択画面の一例を示す図である。
【図８】図８は、読取装置による読み取り中に、読取制御部が表示部に表示させる、棚卸し画面の一例を示す図である。
【図９】図９は、同じグループに属するエリアの読取装置による読み取りの結果の一覧（重複バッファ）の一例を示す図である。
【図１０】図１０は、制御部１１０が実行する棚卸し処理の流れの一例を概略的に示すフローチャートである。
【発明を実施するための形態】
【０００７】
（第１の実施形態）
実施形態について図面を用いて説明する。図１は、実施形態における在庫管理対象である物品の収納場所の一例を模式的に示す平面図である。収納場所は、例えば倉庫の１フロア５００に含まれる複数のエリア５１０，５２０である。
【０００８】
エリア５１０は、店舗用在庫エリアであって、実店舗で取り扱う商品を収納する。エリア５１０は、商品を収納する棚５１１や棚５１２を含む。エリア５２０は、ＥＣ用在庫エリアであって、ＥＣで取り扱う商品を収納する。エリア５２０は、商品を収納する棚５２１や棚５２２を含む。
【０００９】
ここで、本実施形態の収納場所であるエリア５１０，５２０は、図示のように、例えば隣り合う棚のまとまりであって、一つのエリアが含む棚の間に他のエリアが含む棚が存在することはない。なお、ここで棚として説明したものが、例えば箱、或いは空間であっても同様である。つまり、本実施形態において、複数のエリア５１０，５２０は隣り合っていいが、入り混じって存在することはないものとする。
【００１０】
図２は、収納場所（エリア５１０，５２０）に収納された物品に付されたタグ６００の読み取り方の一例を示す平面図である。各棚５１１，５１２，５２１，５２２が収納する商品には、それぞれ、タグ６００が付されている。タグ６００は、ＲＦＩＤタグなどの無線タグであって、例えば個品コード（ＥＰＣ：Electronic  Product  Code）を記憶している。タグ６００が記憶する個品コードは、それぞれ異なる。
【００１１】
タグ６００を読み取るための読取装置７００は、例えばアンテナ２００とＲＦＩＤリーダ３００とにより構成される。また、読取装置７００は、例えば、手に持って読み取り対象にアンテナ２００を向けて用いるハンディタイプである。
【００１２】
アンテナ２００は、ＲＦＩＤリーダ３００の制御により所定の周波数の電波を送受信する。タグ６００は、アンテナ２００が発した電波を受けることにより、自身が記憶する個品コードを送信する。ＲＦＩＤリーダ３００は、アンテナ２００が受信した電波をＡ／Ｄ変換して、タグ６００が送信した個品コードを取得する。
【００１３】
図３は、本実施形態における在庫管理システムの構成例を示す図である。在庫管理システムは、サーバ１００と、複数のＲＦＩＤリーダ３００およびアンテナ２００と、を含んで構成されている。ＲＦＩＤリーダ３００はそれぞれがサーバ１００と通信可能に接続されている。この接続は無線でも有線でも構わない。ＲＦＩＤリーダ３００は、各々、サーバ１００に、読み取り結果（すなわちタグ６００から受信した個品コード）を、送る。
【００１４】
図４は、ＲＦＩＤリーダ３００のハードウェア構成を示すブロック図である。ＲＦＩＤリーダ３００は、ＣＰＵ３０１、ＲＯＭ３０２、ＲＡＭ３０３、出力ＤＡ変換器３０４、ＰＬＬ３０５、パワーアンプ３０６、デジタル変復調器３０７、ＬＮＡ３０８、サーミスタ３０９、通信制御部３１０、ＡＤ変換器３１１などを備えている。
【００１５】
ＣＰＵ（Central  Processing  Unit）３０１は、ＲＦＩＤリーダ３００の主要部であって各部を集中的に制御する。ＲＯＭ（Read  Only  Memory）３０２は、ＯＳ（Operating  System）などの各種プログラムを記憶した読み出し専用メモリである。ＲＡＭ（Random  Access  Memory）３０３は、各種データを書換え可能に記憶する。
【００１６】
出力ＤＡ変換器３０４は、サーバ１００などに出力するデジタル信号をアナログ信号に変換する。ＰＬＬ（Phase  Locked  Loop）３０５は、自装置内に入力される信号の基準周波数と自装置から出力する信号の周波数とを一致させる電子回路である。
【００１７】
サーミスタ３０９は、自装置内の温度を検出する。パワーアンプ３０６は、アンテナ２００を介してタグ６００から受信した信号やサーミスタ３０９の検出信号などを増幅する。ＬＮＡ（Low  Noise  Amplifier）３０８は、アンテナ２００を介してタグ６００から受信した信号やサーミスタ３０９の検出信号を増幅させるものであって、自装置の初段に適用される雑音指数の小さい増幅器である。
【００１８】
ＡＤ変換器３１１は、サーバ１００から入力されたアナログ信号、アンテナ２００を介してタグ６００から受信した信号、サーミスタ３０９の検出信号などをデジタル信号に変換する。デジタル変復調器３０７は、ＡＤ変換器３１１によりデジタル信号に変換された信号を変復調する。通信制御部３１０は、ＲＳ２３２Ｃに従ってサーバ１００との通信を司る。
【００１９】
図５は、サーバ１００の構成を示すブロック図である。サーバ１００は、在庫管理装置の一例である。サーバ１００は、表示部１０１、操作部１０２、Ｉ／Ｆ（Interface、インタフェース）１０３、通信部１０４、制御部１１０および記憶部１２０を備える。
【００２０】
表示部１０１は、オペレータに向けて情報を報知する出力部の一例であって、例えば液晶ディスプレイなどの表示デバイスである。なお、出力部は、プリンタやスピーカーなど他の情報出力デバイスであってもよい。操作部１０２は、オペレータから作業を指定する操作を受け付ける入力部の一例であって、例えばキーボードやマウス、或いは、表示部１０１に重ねて設けられて表示部１０１の表示内容に応じて操作を受けるタッチパネルなどである。
【００２１】
Ｉ／Ｆ１０３は、ＲＦＩＤリーダ３００をサーバ１００に接続するもので、ＲＦＩＤリーダ３００の出力を制御部１１０に伝達する。通信部１０４は、サーバ１００にネットワークなどを介して外部機器を通信可能に接続する。
【００２２】
制御部１１０は、コンピュータ構成であって、ＣＰＵ（Central  Processing  Unit）、ＲＯＭ（Read  Only  Memory）およびＲＡＭ（Random  Access  Memory）などで構成されている。ＲＯＭは、各種プログラムやデータを記憶する記憶媒体である。ＲＡＭは、各種プログラムや各種データを一時的に記憶する記憶媒体である。ＣＰＵは、ＲＯＭなどに記憶されたプログラムを実行することにより機能し、サーバ１００の動作を統括的に制御する。
【００２３】
記憶部１２０は、例えばＨＤＤ（Hard  Disk  Drive）やＳＳＤ（Solid  State  Drive）などの記憶装置である。記憶部１２０は、制御部１１０（ＣＰＵ）が実行可能な各種のプログラムや、設定情報等を記憶する。例えば、記憶部１２０は、グループ情報１２１、理論在庫情報１２２および読取在庫情報１２３を、記憶する。
【００２４】
グループ情報１２１は、エリア５１０，５２０の配置に基づき、読取装置７００が同時に読み取る可能性があるエリア５１０，５２０を、関連付ける。具体例として、本実施形態のグループ情報１２１は、グループを識別する情報（名称や番号、記号など）と、当該グループに属するエリア５１０，５２０を特定する情報と、を関連付けたものである。なお、上述の「同時に読み取る可能性がある」とは、アンテナ２００が放射する電波が届き、当該電波を受けたタグ６００が返す電波を受信する可能性があることである。
【００２５】
例えば、図２のような配置であれば、破線で示す読み取り電波が、奥行き方向（図中上方向）に届きすぎると、エリア５１０の読み取りを行ったつもりの読み取り結果に、エリア５２０の一部が混じることがある。そこで、こういった配置の場合、エリア５１０とエリア５２０とを同じグループとして扱うよう定めるグループ情報１２１を、記憶部１２０に記憶させる。
【００２６】
読取在庫情報１２３は、読取装置７００による読み取り結果（実測値）であって、当該読み取り時に棚卸しの対象としたエリア５１０（または５２０）を特定する情報と、当該読み取りで取得されたタグ６００の個品コードと、を関連付けたものである。
【００２７】
理論在庫情報１２２は、棚卸しにより得られた読取在庫情報１２３の照らし合わせに用いる理論値であって、具体的には、エリア５１０（または５２０）と、当該エリア５１０（または５２０）に収納されているはずの物品に付されたタグ６００が記憶する個品コードと、を関連付けたものである。
【００２８】
制御部１１０は、記憶部１２０やＲＯＭが記憶するプログラムを読み出してＣＰＵが実行することにより、各種機能部を実現する。制御部１１０は、機能部として、読取制御部１１１、調整部１１２、グループ設定部１１３および棚卸対象選択部１１４を有する。
【００２９】
図６は、グループ設定部１１３が表示部１０１に表示させる、グループ化画面８００の一例を示す図である。グループ化画面８００は、グループ化の対象とする複数のエリア５１０，５２０を表示する表示欄８１１，８２１や、選択を受け付けるチェックボックス８１２，８２２、選択されたエリア５１０，５２０のグループ化の実行を受け付けるグループ化ボタン８０１、グループ名の入力を受け付けるためのグループ名入力ボタン８０２などを含む。
【００３０】
当該グループ化画面８００に選択可能に表示する複数のエリア５１０，５２０は、例えば、配置が近く、読取装置７００が同時に読み取る可能性があるものである。グループ設定部１１３は、グループ化画面８００により受け付けた操作に基づいて、グループ情報１２１を生成し、記憶部１２０に記憶させる。
【００３１】
図７は、棚卸対象選択部１１４が表示部１０１に表示させる、棚卸場所選択画面９００の一例を示す図である。棚卸対象選択部１１４は、棚卸場所選択画面９００により、これから棚卸しする（つまり読取装置７００による読み取りを行う）対象である１つのエリア５１０（または５２０）の選択を、受け付ける。
【００３２】
棚卸場所選択画面９００は、棚卸しする場所の選択肢としてのエリア５１０，５２０を表示する表示欄９１１，９２１や、選択を受け付けるチェックボックス９１２，９２２、選択されたエリア５１０（または５２０）の理論在庫を読み出す理論在庫ロードボタン９０１を含む。また、棚卸場所選択画面９００は、棚卸しの状況（完了／未実施）を示す状況欄９１３，９２３や、全ての棚卸しが完了したことをユーザが宣言するための全棚卸完了ボタン９０２を含む。
【００３３】
図８は、読取装置７００による読み取り中に、読取制御部１１１が表示部１０１に表示させる、棚卸し画面４００の一例を示す図である。当該棚卸し画面４００には、読み込んだ個品コードに対応する商品をＳＫＵ（Stock  Keeping  Unit）４１１で分類した集計個数の一覧４１０のほか、読取開始ボタン４０１、一時停止ボタン４０２、完了ボタン４０３が表示される。この棚卸し画面４００では、ＳＫＵでの集計個数を、分母４１２が理論値、分子４１３が実測値の分数で示している。
【００３４】
読取制御部１１１は、一つのグループ情報１２１に属する複数のエリア５１０，５２０から一つずつ指定して、読取装置７００による読み取り結果を受け付ける。
【００３５】
調整部１１２は、同じグループ情報１２１に属する異なるエリア５１０，５２０の読み取り結果に、同じタグ６００の情報が重複して含まれていた場合には、重複した情報のうち、読み取り時に電波強度が小さかった方を、削除する。電波強度としては、例えばＲＳＳＩ（Received  Signal  Strength  Indicator）値が使用される。
【００３６】
調整部１１２による重複情報の調整の意図は、例えば図２に示すような状態を想定すると理解しやすい。読取装置７００のユーザ（操作者）は、棚卸しを行う際、読み取りを行おうとする対象（図示の状態ではエリア５１０が含む棚５１１）にアンテナ２００を向けて、読み取りを行う。また、図２のように対象のエリア５１０の棚５１１，５１２が配置されているのであれば、ユーザは、アンテナ２００を棚５１１に向けた状態から横方向（図中右方向）へ移動すると考えられる。
【００３７】
上述のような場合、エリア５１０の商品に付されたタグ６００を読み取っているつもりでも、さらに奥のエリア５２０にアンテナ２００の電波が届いてエリア５２０の商品のタグ６００が読み取り結果に含まれる可能性がある。図８に示す棚卸し画面４００のＳＫＵ４９の商品がその例であって、当該商品の個数（実測値）は理論値を上回っている。これは、下棚卸しの対象として指定したエリア５１０以外のエリア５２０に含まれるＳＫＵ４９の商品に付されたタグ６００をも、読取装置７００が読み込んでしまっていることを示している。しかしながらその場合、エリア５２０のタグ６００が返す信号の電波強度は、エリア５１０のものより明らかに小さくなると考えられる。
【００３８】
そして、エリア５２０の棚卸しを行う場合、ユーザは、読取装置７００を、エリア５２０が含む棚５２１，５２２に向けて読み取りを行う。その読み取り結果には、エリア５１０の読み取り結果に混入したエリア５２０のタグ６００よりも強い電波強度の読み取り結果が含まれるはずである。
【００３９】
図９は、同じグループに属するエリア５１０，５２０の読取装置７００による読み取りの結果の一覧（重複バッファ）の一例を示す図である。この例では、タグ９およびタグ１０が、エリア５１０の読み取り結果とエリア５２０の読み取り結果との両方に含まれていて、重複している。このような場合、調整部１１２が同じグループに属するエリア５１０，５２０の読み取り結果を突き合わせ、同じタグ６００の個品コードがあった場合には（この例ではタグ９およびタグ１０が重複）、電波強度が弱い方を削除し強い方を残す。これにより、当該重複していた個品コードのタグ６００がどちらのエリア５１０，５２０に属するのかを明らかにすることができる。
【００４０】
このような構成の在庫管理システムにおいて、サーバ１００の制御部１１０は、次の説明のように動作する。図１０は、制御部１１０が実行する棚卸し処理の流れの一例を概略的に示すフローチャートである。制御部１１０は、棚卸対象選択部１１４として表示部１０１に表示させた棚卸場所選択画面９００において、チェックボックス９１２または９２２の選択および理論在庫ロードボタン９０１が操作を受けると（ステップＳ１のＹｅｓ）、ステップＳ２〜Ｓ９の処理を行う。すなわち、制御部１１０は、まず、記憶部１２０の理論在庫情報１２２を読み出して、ユーザから棚卸し対象として指定されたエリア５１０（または５２０）の理論在庫をロードする（ステップＳ２）。続いて制御部１１０は、理論在庫を反映させた棚卸し画面４００を表示部１０１に表示させて、読取開始ボタン４０１への操作を待機する（ステップＳ３のＮｏ）。読取開始ボタン４０１が操作を受けると（ステップＳ３のＹｅｓ）、制御部１１０は、読取制御部１１１として、読取装置７００のアンテナ２００から電波を放射させ、ＲＦＩＤリーダ３００によるタグ６００の読み取りを開始する（ステップＳ４）。
【００４１】
次に制御部１１０は、タグ６００の個品コード（ＥＰＣ）および読み取り時のＲＳＳＩ値を得るごとに、個品コードの重複の有無を確認する（ステップＳ５）。これは、１つのエリア５１０（または５２０）を対象とした読み取りにおける重複の調整である。
【００４２】
最新の読み取り結果の個品コードが、保存済みの個品コードと重複している場合（ステップＳ５のＹｅｓ）、各々の読み取り時のＲＳＳＩ値を比較し、保存済みのものより最新のもののＲＳＳＩ値の方が大きければ（ステップＳ６のＹｅｓ）、最新と重複した保存済みの読み取り結果を最新のもので更新する（ステップＳ７）。
【００４３】
ステップＳ５において、最新の読み取り結果の個品コードが、保存済みの個品コードと重複していなければ（ステップＳ５のＮｏ）、制御部１１０は、最新の読み取り結果を重複バッファ（図９）に保存するとともに、棚卸し画面４００の一覧４１０が含む集計個数の分子４１３に反映させる（ステップＳ８）。
【００４４】
この後制御部１１０は、ユーザにより棚卸し画面４００の完了ボタン４０３が操作を受けるまで（ステップＳ９のＮｏ）、ステップＳ４〜Ｓ８を繰り返す。そして、完了ボタン４０３が操作を受けると、制御部１１０は、当該エリア５１０（または５２０）の棚卸しが完了したとして（ステップＳ９のＹｅｓ）、処理をステップＳ１に戻す。
【００４５】
制御部１１０は、棚卸対象選択部１１４として表示部１０１に表示させた棚卸場所選択画面９００において、理論在庫ロードボタン９０１が操作されない場合（ステップＳ１のＮｏ）、全棚卸完了ボタン９０２への操作を待機する（ステップＳ１０のＮｏ）。全棚卸完了ボタン９０２が操作を受けると（ステップＳ１０のＹｅｓ）、制御部１１０は、ステップＳ１１〜Ｓ１５の処理を行う。すなわち、制御部１１０は、まず、グループ内の重複をチェックする（ステップＳ１１）。当該チェックでは、個品コード（ＥＰＣ）を突合せ、別々のエリア５１０，５２０の読み取り結果に同じ個品コードが含まれていた場合、どちらのＲＳＳＩ値が大きかったか判断する（ステップＳ１２）。
【００４６】
ステップＳ１２においては、重複バッファ（図９）を、例えばタグコード（個品コード）でソートしたものを順に読んでゆき、個品コードが連続して現れた場合に、前に読んだものとＲＳＳＩ値を比較する。そして、制御部１１０は、ＲＳＳＩ値が小さい方を削除し大きい方を残すように、重複バッファを更新する（ステップＳ１３）。
【００４７】
制御部１１０は、上記ステップＳ１１〜Ｓ１３の処理を、同グループ内の全データについて完了するまで繰り返し（ステップＳ１４のＮｏ）、完了すると（ステップＳ１４のＹｅｓ）、実棚確定として（ステップＳ１５）、本処理を終了する。
【００４８】
以上のように、本実施形態によれば、例えば店舗用の在庫商品とＥＣ用の在庫商品とが、読取装置７００により同時に読み取られる可能性がある配置で収納されていたとしても、各々の収納エリア５１０，５２０をグループ化して扱い、同グループ内のエリア５１０，５２０の読み取り結果を突合せ、個品コードが重複した場合にはＲＳＳＩ値が小さい方を削除し大きい方を残すことで、各エリア５１０，５２０の在庫管理を正しく行うことができる。つまり、分けて管理される物品に付されたタグ６００が、読取装置７００により同時に読み取られる可能性がある場所（エリア５１０，５２０）に収納されていても、物品を正しく管理することができる。
【００４９】
なお、上記実施形態では、読取装置７００を用いての棚卸しに先立ってグループ化を行っているが、実施に当たっては、エリア５１０，５２０を指定しての棚卸しの後でエリア５１０，５２０のグループ化を行っても、グループ化が重複の調整よりも先に行われていれば同様の結果を得ることが可能である。
【００５０】
また、上記実施形態では、サーバ１００が在庫管理装置の一例であって、全ての機能部（読取制御部１１１、調整部１１２、グループ設定部１１３、棚卸対象選択部１１４）を備えるとして説明しているが、実施にあたっては、サーバ１００でなく読取装置７００が在庫管理装置であって、上記機能部の一部あるいは全てを備えていてもよい。
【００５１】
なお、上記機能部がサーバ１００と読取装置７００とに分けられている場合には、サーバ１００と読取装置７００とが構成する在庫管理システムが、在庫管理装置の一例となる。
【００５２】
また、上記実施形態では、サーバ１００が全ての情報（グループ情報１２１、理論在庫情報１２２、読取在庫情報１２３）を記憶しているが、実施にあたっては、それらの情報の一部あるいは全てが、読取装置７００にて記憶されていても構わない。
【００５３】
また、実施にあたって、グループ情報１２１、理論在庫情報１２２は、サーバ１００（または読取装置７００）に、外部装置から取得されてもよいし、或いは手入力されるのであってもよい。
【００５４】
なお、図９に示す重複バッファの表示は一例であって、特に、実施形態の分かりやすさのためＲＳＳＩ値を「弱」としているが、当該箇所は、実際の数値であって構わない。
【００５５】
また、上記実施形態では、制御部１１０がステップＳ１１〜Ｓ１３において自動で重複を調整しているが、実施にあたっては、ＲＳＳＩ値の差が所定の程度を超える場合には自動で調整（小さい方を削除）し、ＲＳＳＩ値の差がそこまで大きくない場合には重複した情報を表示部１０１などによりユーザに提示して、ユーザの指示を求めるようにしてもよい。
【００５６】
上記実施形態の在庫管理装置（サーバ１００）は、ＣＰＵなどの制御装置と、ＲＯＭ（Read  Only  Memory）やＲＡＭなどの記憶装置と、ＨＤＤ、ＣＤドライブ装置などの外部記憶装置と、ディスプレイ装置などの表示装置と、キーボードやマウスなどの入力装置を備えており、通常のコンピュータを利用したハードウェア構成となっている。
【００５７】
上記実施形態の在庫管理装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００５８】
また、上記実施形態の在庫管理装置で実行されるプログラムを、インターネット等のネットワークに接続されたコンピュータ上に格納し、ネットワーク経由でダウンロードさせることにより提供するように構成しても良い。また、上記実施形態の在庫管理装置で実行されるプログラムをインターネット等のネットワーク経由で提供または配布するように構成しても良い。
【００５９】
また、上記実施形態のプログラムを、ＲＯＭ等に予め組み込んで提供するように構成してもよい。なお、在庫管理装置が読取装置７００の場合、上記実施形態の在庫管理装置で実行されるプログラムは、ＲＯＭ等に予め組み込まれて提供される。
【００６０】
上記実施形態の在庫管理装置で実行されるプログラムは、上述した各部（読取制御部１１１、調整部１１２、グループ設定部１１３、棚卸対象選択部１１４）を含むモジュール構成となっている。ＣＰＵ（プロセッサ）は、上記記憶装置からプログラムを読み出して実行することにより、上記各部を主記憶装置上にロードする。これにより、読取制御部１１１、調整部１１２、グループ設定部１１３、棚卸対象選択部１１４が、主記憶装置上に生成される。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６２】
１００…サーバ（在庫管理装置）、１０１…表示部、１０２…操作部
１１０…制御部、１１１…読取制御部、１１２…調整部
１１３…グループ設定部、１１４…棚卸対象選択部
１２０…記憶部、１２１…グループ情報、１２２…理論在庫情報、１２３…読取在庫情報
２００…アンテナ
３００…ＲＦＩＤリーダ、３０１…ＣＰＵ、３０２…ＲＯＭ、３０３…ＲＡＭ
４００…棚卸し画面
４０１…読取開始ボタン、４０２…一時停止ボタン、４０３…完了ボタン
５００…フロア、
５１０，５２０…エリア（収納場所）、５１１，５１２，５２１，５２２…棚
６００…タグ（無線タグ、ＲＦＩＤタグ）
７００…読取装置
８００…グループ化画面、８０１…グループ化ボタン、８０２…グループ名入力ボタン
８１１…表示欄、８１２…チェックボックス
９００…棚卸場所選択画面、９０１…理論在庫ロードボタン、９０２…全棚卸完了ボタン
９１１…表示欄、９１２…チェックボックス、９１３…状況欄
【先行技術文献】
【特許文献】
【００６３】
【特許文献１】特開２０１０−０８９８４４号公報
【図１】
2020132370.tif 000003
【図２】
2020132370.tif 000004
【図３】
2020132370.tif 000005
【図４】
2020132370.tif 000006
【図５】
2020132370.tif 000007
【図６】
2020132370.tif 000008
【図７】
2020132370.tif 000009
【図８】
2020132370.tif 000010
【図９】
2020132370.tif 000011
【図１０】
2020132370.tif 000012